(57)【要約】 【課題】  動物用個体識別器具の耳標は、牛のＢＳＥ問題等と相まって、家畜の生産履歴追跡、いわゆるトレーサビリティ上、必要不可欠ものとなりつつある。しかし、現在のいずれの耳標でも、付け替え即ち偽装に対し根本的な解決がされていない。【解決手段】  本発明は、主要部材が二部剤の耳標の装着接合部を両部材の内側にすることにより、装着動物の損傷無しには偽装を不可能とし、併せて、両部材外側表面の突起を無くし、家畜の損傷を防ぐ。また、家畜への挿入抵抗の軽減、ＩＣタグ装着のコスト削減、装着時の細胞採取等の新機能付加も容易に可能としている。【選択図】  図１
2006304768.tif 000002
【特許請求の範囲】
【請求項１】
家畜および動物に装着される耳標であって、該耳標は、耳殻を貫通可能な手段が形成された平板状標識で第一部材とそれを受ける第二部材からなり、両部材により耳を貫通挟持し、個体特定の耳標となり、両部材の外側面の内側で両部材の接合を可能とし、接合部分を両部材の内部にすることにより両表面に外部突起を無くすことを特徴とした耳標。
【請求項２】
前記耳標の２つの部材接合にスナップリング、ラチェット、接着剤等を利用した請求項１の耳標。
【請求項３】
請求項１において、チューブ、添え板、シール等で非接触型ＩＣチップ（ＲＦＩＤ）や電子タグ等の個体識別管理器具を挟む又は包み込み付帯させた耳標。
【請求項４】
請求項１において、切削歯を兼ねた細胞採取機能をもたせた耳標。
【請求項５】
請求項１において、切削歯を持つ三角又は多角の筒状、又は平板状部材を第一部材又は第二部材に組み込む際、固定及び固定解除する機能をその部材の太さ、又は厚さで行う耳標。
【請求項６】
請求項１の耳標に生物が噛むのを防ぐ為の忌避剤や非結束生体と結束バンドとの接触部分の親和を目的として薬剤等を塗布する、又は塗り込む等の加工をした耳標。
【請求項７】
本発明である外面突起なし新型耳標は、鍔及び鍔の中央に垂設された凸状連結部からなる第一部材オス１と、突出部を介して連設した上下筒体部と前記下筒体部の下部に連設された先端部が尖った挿入部からなり第一部材オス１に取り付けられるインサートピン２と、下面に凹部を形成した鍔及び鍔の上面中央に垂設された中空かつ上部に接合部を形成した凸状メス部からなる第二部材メスと、中央に孔を穿設したチップからなり前記第二部材メスの凹部に嵌入されるＲＦＩＤと、上面に凹部を形成した鍔及び鍔の中央上面に垂設された内部が中空の凸部からなり前記第二部材メスの下面に取り付ける第二部材メスカバーと、内部が中空で上端の径が小さく下部に分離調整用厚み部分を形成した筒状体からなり前記第二部材メス及び第二部材メスカバーの中央を貫通して取付られる切削機能付き細胞採取管とからなることを特徴とする外面突起なし新型耳標。
【請求項８】
中央に連結突出部を垂設したオス部本体からなる耳標オス部と先端部に段差を設けた押下突出部を形成したピン本体からなるインサートピンとからなる耳標オスと、内部が中空となったメス部本体と前記メス部本体を中央に垂設し底面に内凹部及び外凹部を形成した鍔部からなる耳標メス部と、前記メス部本体の中空部分に収納されるスナップリングと
前記鍔部の内凹部に嵌入されるＩＣタグと、前記耳標メス部の中空に嵌入する保護カバー本体と前記保護カバー本体を中央に垂設する鍔部からなる保護カバーと、前記保護カバー本体の中空部分に差し込むパイプ本体からなるＤＮＡ採取用パイプとからなる耳標メスとからなることを特徴とする外面突起なし新型耳標。
【請求項９】
開口部を設けた先端部を備えた連結突出部を中央に垂設したオス部本体からなる耳標オスと、内部が中空で上部に開口部を穿設したメス部本体と前記メス部本体を中央に垂設し底面に凹部及び収納部を設けた鍔部からなる耳標メス部と、前記耳標メス部の中空部分に収納されるスナップリングと、前記収納部に嵌入されるＩＣタグと、前記凹部に嵌め込まれる鍔部と前記鍔部の中央に垂設される内部が中空で上部に開口部を備えた保護カバー本体からなる保護カバーとからなる耳標メスと、ＤＮＡ採取プレートとからなることを特徴とする請求項７に記載の外面突起なし新型耳標。
【請求項１０】
孔を穿設した先端部を備えた連結部と前記連結部を中央に垂設したオス部本体からなる耳標オスと、内部が中空で上部に上開口部を備えたメス部本体と前記メス部本体を中央に垂設し底面に凹部及び収納部を設けた鍔部からなるメス部と、外周面に上中下突部を設け中央突起を備えたＶ字型溝を上面に備えたクサビ本体からなるクサビと、前記メス部の収納部に嵌入されるＩＣタグと、前記メス部の凹部に嵌入されるタグ保護カバーとからなる耳標メスと、ＡＢＳプレートと前記ＡＢＳプレート上面に重ね合わされる不織布からなるＤＮＡ採取プレートとからなることを特徴とする請求項７及び請求項８に記載の外面突起なし新型耳標。
【発明の詳細な説明】
【技術分野】
【０００１】
この発明は、生物の個体管理、生産履歴及び流通履歴に使用する耳標の改良に関する発明である。
【背景技術】
【０００２】
生物、特に家畜の個体管理は、生産履歴および流通履歴を重視する消費者の増大とともに、必要不可欠なものとなりつつある。同時に生物の個体識別管理器具としての耳標は、重要性を増している。この中、耳標の付け替え、所謂、耳標偽装事件も発生した。しかし、現行の耳標はいずれも根本的解決策を有しない。
【特許文献１】特開２００４−３４４０８５号公報
【発明の開示】
【発明が解決しようとする課題】
【０００３】
しかしながら、以上の従来技術によれば、いかなる耳標も第一部材と第二部材からなっていて、両部材の接合部分が露出しており、接合部分を細工することにより、付け替え偽装は可能となっていた。
【課題を解決するための手段】
【０００４】
本発明は、耳標の第一部材、第二部材の接合部分を両部材の内側にすることにより、装着家畜の損傷無しに取り外しを不可能とした。また、接合方法も返しや接着剤や、スナップリング等の利用により、強固な接合とした。
【発明の効果】
【０００５】
上述したように、本発明により、当該耳標を取り外す際には装着家畜の装着部位の損傷が起こり、また、接合を強固な方法としたため、付け替えは不可能とし、個体管理の信頼性を高めた。
【０００６】
接合部分を内部にした為、耳標の両外側面を平面にでき、当該耳標装着家畜はもとより、共同飼育の他の家畜等を傷つけることを防ぐ効果がある。
【発明を実施するための最良の形態】
【０００７】
個体管理の信頼性を高めるという目的を耳標のオス及びメス両部材の接合部を内側にすることで損傷なく取り外しをすることが不可能としたことで実現した。
【実施例１】
【０００８】
以下、本発明の一実施形態を、図１に基づいて説明する。
【０００９】
図において、耳標構成の第一部材オス１とインサートピン２からなる、第二部材は接合部３（返し機能、または溶剤接着、スナップリング等）の機能を持つ４と６とからなる。
【００１０】
５つのＲＦＩＤ所謂、非接触ＩＣチップ等を装着する場合もある。
【００１１】
７つの細胞採取装置を装着する場合もある。
【００１２】
表面に薬剤を塗布する場合もある。
【００１３】
図１は本発明である外面突起なし新型耳標の第１実施例の断面図である。図１中の図Ａは第一部材、図Ｂ及び図Ｄは第二構成部材、図ＣはＲＦＩＤ、図Ｅは切削歯である細胞採取器具、図Ｆは第一部材、図Ｇは綜合組み立て例を示している。
【００１４】
図１に示すように、本発明である外面突起なし新型耳標は、第一部材オス１と、第一部材オス１に取り付けられるインサートピン２と、接合部３を設けた第二部材メス４と、第二部材メス４の下部に内包されるＲＦＩＤ５と、第二部材メス４の下部に取り付けられる第二部材メスカバー６と、第二部材メス４及び第二部材メスカバー６の中央を貫通するように取り付けられた切削機能付き細胞採取管７とからなる。
【００１５】
図１中の図Ａに示すように、第一部材オス１は、鍔１ａと鍔１ａの中央に垂設された凸状連結部１ｂとからなり、凸状連結部１ｂの中央には挿入孔１ｃが穿設されている。
【００１６】
インサートピン２は下端に挿入部２ｄを備えた筒体からなり、筒体の中央やや下側に突出部２ｂを設けている。突出部２ｂより上部を上筒体部２ａとし、突出部２ｂより下部を下筒体部２ｃとした。挿入部２ｄは下端に向かうに従って径が小さくなり先端部２ｅは尖っている。第一部材オス１とインサートピン２は、インサートピン２の上筒体部２ａを第一部材オス１の挿入孔１ｃに挿入することで連結されている。
【００１７】
図１中の図Ｂに示すよに、第二部材メス４は鍔４ａと鍔４ａの中央上面に垂設された凸状メス部４ｂとからなり、凸状メス部４ｂ内は中空４ｃとなっており、中空４ｃの下部は大径部４ｅとなり径がやや大きくなっている。鍔４ａの下面には凹部４ｄが形成されており、この凹部４ｄは大径部４ｅの外周を囲むように形成されている。また、鍔４ａの下面外周は段差４ｆが形成されている。
【００１８】
第二部材メス４の凸状メス部４ｂの上部には接合部３が形成されている。凸状メス部４ｂの上部の径は開口部３ｂに向かってだんだん小さくなり、そのため凸状メス部４ｂの上部外周は傾斜部３ａとなっている。開口部３ｂの内周面は折り返し３ｃとなっており、折り返し３ｃにはスリット３ｄが設けられている。
【００１９】
図１中の図Ｃに示すように、ＲＦＩＤ５は、中央に孔５ｂを穿設した略ドーナツ型のチップ５ａからなり、第二部材メの鍔４ａ下面に形成された凹部４ｄに嵌入される。
【００２０】
図１中の図Ｄに示すように、第二部材メスカバー６は鍔６ａと鍔６ａの上面中央に垂設された突部６ｂからなり、突部６ｂは中空６ｃとなっている。鍔６ａの上面には突部６ｂを囲むように凹部６ｄが形成されている。
【００２１】
図１中の図Ｅに示すように、切削機能付き細胞採取管７は内部が中空７ａの筒体をしており、上部の先端部７ｂは径が小さく、下部は分離調整用厚み部分８を設けて径が大きくなっている。切削機能付き細胞採取管７と下部の分離調整用厚み部分８は径が違うため外周面に段差７ｃが形成されている。
【００２２】
図１中の図Ｇに示すように、前記第二部材メス４、ＲＦＩＤ５、第二部材メスカバー６、切削機能付き細胞採取管７を組み合わせ第二部材メス・組立完成品９となり、図Ｆに示した第一部材オス１とインサートピン２を連結したオス部材とで豚耳に挟み使用する。
【００２３】
図２は本発明である外面突起なし新型耳標の第１実施例の断面図、正面図、背面図である。図２中の図Ｈは本発明耳標の装着状態の断面図、図Ｉは固定解除後の切削機能付細胞採取容器例、図Ｊは耳標の正面図、図Ｋは耳標の背面図を示している。
【００２４】
図Ｈに示すように、第一部材オス１とインサートピン２からなるオス部材と第二部材メス・組み立て完成品９が豚耳を貫通し互いに連結されると同時に切削機能付き細胞採取管７は豚耳の一部を取り、インサートピン２により第二部材メス・組み立て完成品９の下方へ押し出される。
【００２５】
図Ｉに示すように、第二部材メス・組み立て完成品９より押し出された切削機能付き細胞採取管７には豚耳から採取した採取細胞１０が残っており、この採取細胞１０を使用して家畜の個体管理をすることができる。
【００２６】
図Ｊに示すように、外面突起なし新型耳標は上部からみると第一部材オス１の鍔１ａ部分だけが見え、図Ｋに示すように、下部から見ると第二部材メスカバー６の鍔６ａ部分だけが見え、豚耳に取り付けた場合に外表面に突起がなく安全である。
【実施例２】
【００２７】
図３は本発明である外面突起なし新型耳標の第２実施例の分解断面図、図４は外面突起なし新型耳標の第２実施例の組立後の断面図、図５は外面突起なし新型耳標の第２実施例を使用した状態を示した断面図、図６は外面突起なし新型耳標の第２実施例を使用した状態を示した断面図、図７は外面突起なし新型耳標の第２実施例の分解斜視図である。
【００２８】
図３に示すように、本発明である外面突起なし新型耳標１１は、耳標オス部１４と前記耳標オス部１４の中央に嵌入して取り付けられたインサートピン１５からなる耳標オス１２と、耳標メス部１６と前記耳標メス部１６に内包されるスナップリング１７と前記耳標メス部１６の下部に取り付けるＩＣタグ１８と前記耳標メス部１６の下部に取り付けてＩＣタグ１８を下から保護する保護カバー１９と前記保護カバー１９の中央下部より挿入されるＤＮＡ採取用パイプ２０からなる耳標メス１３とからなる。
【００２９】
図３から図７に示すように、前記耳標オス部１４は、中央下面に連結突出部１４ｂを形成した略円盤状のオス部本体１４ａからなり、前記連結突出部１４ｂの中央には連結孔１４ｃが穿設されている。前記連結孔１４ｃには上下条溝１４ｅ、１４ｄが形成されており、前記上条溝１４ｅの径が最も大きく、次に下条溝１４ｄの径が大きく、連結孔１４ｃの径が最も小さい。
【００３０】
前記インサートピン１５は下部に押下突出部１５ｂを形成したピン本体１５ａからなり、前記本体１５ａの上端は最も径の大きい上突出部１５ｇを形成している。更に前記本体１５ａの中央には径を大きくした受け突出部１５ｅを形成し、前記上突出部１５ｇと受け突出部１５ｅの間には下突出部１５ｆを形成している。尚、受け突出部１５ｅの下部は傾斜部１５ｈとなっている。
【００３１】
前記押下突出部１５ｂから下端にかけて傾斜部１５ｉを形成して徐々に径は小さくなり、先端部１５ｃは尖っている。前記押下突出部１５ｂから先端部１５ｃへの傾斜部１５ｉの間に一度段差１５ｄを設けている。
【００３２】
前記インサートピン１５の上突出部１５ｇの外径と前記耳標オス部１４の上条溝１４ｅの内径は同じであり、前記上突出部１５ｇは上条溝１４ｅにしっかりと嵌合する。一方、前記インサートピン１５の下突出部１５ｆの外径と前記耳標オス部１４の下条溝１４ｄの内径は同じであり、前記下突出部１５ｆは下条溝１４ｄにしっかりと嵌合する。
【００３３】
以上のように、前記インサートピン１５の上突出部１５ｇは前記耳標オス部１４の上条溝１４ｅに嵌合させ、前記下突出部１５ｆは下条溝１４ｄに嵌合させることで耳標オス部１４とインサートピン１５はしっかりと連結している。
【００３４】
前記耳標メス部１６は、略円筒状のメス部本体１６ａと前記メス部本体１６ａの下部の径を広げた鍔部１６ｂからなり、メス部本体１６ａの中央上端から鍔部中央下端に欠けて中空１６ｃとなっている。
【００３５】
前記中空１６ｃの径は一定しておらず、凹凸を繰り返している。即ち、最上部の上開口部１６ｄは下に向かうに従って徐々に径が小さくなり内壁面が上傾斜部１６ｇしており、メス部本体１６ａの高さ約４分の３の位置で径が一定する。一定となった径は中傾斜部１６ｈを設けて小さくなり、再度径が一定する。一定した径の下端は一気に径を広げた後、下傾斜部１６ｉにより徐々に径を広げてメス部本体１６ａの高さ約２分の１の位置で再度径が一定する。一定した径はそのまま下端近くまで径を維持し、最下端の下開口部１６ｆで径を一気に広げて中空１６ｃの内壁面に段差１６ｋを形成している。
【００３６】
前記鍔部１６ｂの下面は、前記下開口部１６ｆの周囲を一周するように内凹部１６ｅが設けられており、更に鍔部１６ｂの下面の外周は外凹部１６ｊが設けられている。即ち、内凹部１６ｅの内周面には内突出部１６ｍが形成され、内凹部１６ｅの外周面には外突出部１６ｌが形成されている。
【００３７】
前記スナップリング１７は、略Ｃ字状をしたスナップリング本体１７ａからなり、中央は中空１７ｂとなり、スナップリング本体１７ａの一部に隙間１７ｄを設けたため、完全なリング型ではない。また、スナップリング１７ａの上下外周面は傾斜１７ｃしている。
【００３８】
前記ＩＣタグ１８は、中央に孔１８ｂを穿設した略ドーナツ型のＩＣタグ本体１８ａからなり、ＩＣチップ１８ｃが取り付けられている。
【００３９】
前記保護カバー１９は、略円柱状の保護カバー本体１９ａと略円盤状の鍔部１９ｂからなる。前記保護カバー本体１９ａは内部が中空１９ｃとなっており、上部は拡張部１９ｆとして径を大きくし、下端部１９ｈも若干径が大きくなっている。前記鍔部１９ｂの上面は広く凹部１９ｄを形成し前記保護カバー本体１９ａ下部の外周に段差１９ｇを設け、更に鍔部１９ｂの外周面に外周突部１９ｅを設けている。
【００４０】
前記ＤＮＡ採取用パイプ２０は、略円筒状のパイプ本体２０ａからなり、パイプ下部２０ｂの外径はパイプ本体２０ａの外径より大きい。そのため、パイプ本体２０ａとパイプ下部２０ｂの間には段差２０ｆが形成されている。前記パイプ本体２０ａの上端から下端にかけては中空２０ｄとなっており、パイプ本体２０ａの上部は先端部２０ｃに向かって外壁が傾斜２０ｅしており先端部２０ｃの外周は鋭くなっている。
【００４１】
前記耳標メス部１６、スナップリング１７、ＩＣタグ１８、保護カバー１９、ＤＮＡ採取用パイプ２０を組み合わせて耳標メス１３を形成する。前記保護カバー１９の下端部１９ｈより前記ＤＮＡ採取用パイプ２０を挿入し、パイプ本体２０ａの上端を拡張部１９ｆより上方に向かって突出させる。
【００４２】
次に拡張部１９ｆより突出したパイプ本体２０ａの上部をスナップリング１７の孔１７ｂに挿入させ、スナップリング本体１７ａを保護カバー本体１９ａの上端まで下ろす。一方、耳標メス部１６の内凹部１６ｅには前記ＩＣタグ１８が嵌め込まれる。
【００４３】
前記耳標メ土台部１６の下開口部１６ｆより前記スナップリング１７及びＤＮＡ採取用パイプ２０を連結させた保護カバー１９を嵌入させて、耳標メス部１６の底面を閉じる。以上のようにして形成した耳標オス１２及び耳標メス１３は図４に示すようになる。
【００４４】
図４から図７に示すように、前記耳標オスメス１２、１３を使って対象となる家畜の耳２１を挟み、インサートピン１５を耳標メス部１６の上開口部１６ｄより挿入する。ＤＮＡ採取用パイプ２０のパイプ本体２０ａ上端部はインサートピン１５の押下突出部１５ｂに設けた段差１５ｄにひっかかり、耳標オス１２を押し進めることでＤＮＡ採取用パイプ２０は保護カバー１９より外れていく。
【００４５】
耳標オス１２を更に押し進めることで、インサートピン１５の押下突出部１５ｂはスナップリング１７の孔１７ｂを突き抜け保護カバー１９の拡張部１９ｆで止まる。このとき、耳標オス１２を上方に向かって外そうとしても、インサートピン１５の押下突出部１５ｂがスナップリング１７に引っ掛かりスナップリング１７を上方に引き上げるが、スナップリング１７が耳標メス部１６の下傾斜部１６ｉに引っ掛かるため、耳標オス１２と耳標メス１３は外すことができない。
【００４６】
前記保護カバー１９より押し出されたＤＮＡ採取用パイプ２０には、耳２１から少量の肉片が取れる仕組みになっており、この肉片からＤＮＡを採取し、個体管理をすることができる。
【実施例３】
【００４７】
図８は本発明である外面突起なし新型耳標の第３実施例の分解断面図、図９は外面突起なし新型耳標の第３実施例の組立後の断面図、図１０は外面突起なし新型耳標の第３実施例を使用した状態を示した断面図、図１１は外面突起なし新型耳標の第３実施例の分解斜視図である。
【００４８】
図８に示すように、外面突起なし新型耳標１１ａは、耳標オス２２と、耳標メス部２４と前記耳標メス部２４に内包されるスナップリング２５と前記耳標メス部２４の底面に嵌入されるＩＣタグ２６と前記耳標メス部２４の下部に取り付けてＩＣタグ２６を保護する保護カバー２７からなる耳標メス２３と、ＤＮＡ採取プレート２８からなる。
【００４９】
前記耳標オス２２は、円形且つ平板状のオス部本体２２ａと前記オス部本体２２ａの中央に垂設された略円柱状の連結突出部２２ｂとからなり、前記連結突出部２２ｂの先端部２２ｃには開口部２２ｅが設けられている。前記開口部２２ｅは先端部２２ｃの下端より上部に向かって径が徐々に小さくなり孔２２ｄに繋がっている。また、前記連結突出部２２ｂの径より先端部２２ｃの径のほうが大きい。
【００５０】
前記耳標メス部２４は略円柱状のメス部本体２４ａと円形且つ平板状の鍔部２４ｂからなり、前記メス部本体２４ａは前記鍔部２４ｂの中央上面に垂設されている。前記メス部本体２４ａの上は上端に向かって徐々に径が小さくなっている。
【００５１】
前記メス部本体２４ａは内部が中空２４ｃとなっており、特に中空部分の上部を開口部２４ｄとし、径の大きさが異なっている。即ち、中空２４ｃの径よりも開口部２４ｄの径の方が小さく、また、開口部２４ｄの径よりも前記耳標オス２２の先端部２２ｃの径の方が小さい。前記鍔部２４ｂの下面には凹部２４ｆが設けられており、更に凹部２４ｆには収納部２４ｅが設けられている。
【００５２】
前記スナップリング２５はリング本体２５ａからなり、中央に孔が穿設されている。前記孔の孔下部２５ｃは径が一定しており、一方孔上部は上部に向かって径が徐々に大きくなっている。前記リング本体２５ａの外周面下部は傾斜２５ｄが施されている。また、図１１に示すように、前記リング本体２５ａには隙間２５ｅが設けられており、実際は略Ｃ字型をしている。
【００５３】
前記ＩＣタグ２６は円形且つ平板状で中央に孔２６ｂが穿設されたドーナツ型のＩＣタグ本体２６ａからなり、ＩＣチップ２６ｃが取り付けられている。
【００５４】
前記保護カバー２７は略円柱状の保護カバー本体２７ａと円形の鍔部２７ｂからなり、前記保護カバー本体２７ａは鍔部中央に垂設されている。前記保護カバー本体２７ａ内部は中空２７ｃとなっており、中空２７ｃの上部は保護カバー本体２７ａの上端に設けられた開口部２７ｄに繋がっている。
【００５５】
前記ＤＮＡ採取プレート２８は、耳標オスメス２２、２３の連結の際に家畜等から採取できる肉片などのＤＮＡ採取源をとるための平板状のプレートである。
【００５６】
図９に示すように、前記耳標メス部２４の収納部２４ｅに前記ＩＣタグ２６を嵌入し、開口部２７ｄにスナップリング２５を乗せた保護カバー２７を耳標メス土台２４の鍔部２４ｂより嵌入して取り付け耳標メス２３となる。
【００５７】
図１０及び図１１に示すように、前記耳標オスメス２２、２３を使用して家畜等の耳２１に耳標を取り付ける。まず、耳２１を耳標オスメス２２、２３で挟み、耳標オス２２の先端部２２ｃを耳標メス部２４の開口部２４ｄに挿入させる。
【００５８】
耳標オス２２の先端部２２ｃは開口部２４ｄを通り抜け、スナップリング２５中央を貫通し、保護カバー２７の中空２７ｃの中まで入りこんでいる。このとき、前記スナップリング２５は連結突出部２２ｂの位置にある。この状態で耳標オスメス２２、２３を耳２１から外そうとしても耳標オス２２の連結突出部２２ｂに連結されたスナップリング２５がメス部本体２４ａの内壁に引っ掛かり外すことができない。
【００５９】
耳２１を突き抜けて保護カバー２７の中空２７ｃの位置にある耳標オス２２の先端部２２ｃは、耳を突き抜ける際に耳の肉片を取ることができ、その肉片はＤＮＡ採取プレート２８上に落ちＤＮＡ等の分析をすることができる。
【実施例４】
【００６０】
図１２は本発明である外面突起なし新型耳標の第４実施例の分解断面図、図１３は外面突起なし新型耳標の第４実施例の組立後の断面図、図１４は外面突起なし新型耳標の第４実施例を使用した状態を示した断面図、図１５は面突起なし新型耳標の第４実施例の分解斜視図である。
【００６１】
図１２から図１５に示すように外面突起なし新型耳標１１ｂは、耳標オス２９と、メス部３２と前記メス部３２に内包されるクサビ３３とメス部３２の鍔部内に格納されるＩＣタグ３４とメス部３２の底面に蓋取り付けてＩＣタグ３４を保護するタグ保護カバー３５からなる耳標メス３０と、ＤＮＡ採取プレート３１とからなる。
【００６２】
前記耳標オス２９は、円形且つ平板状のオス部本体２９ａと略円柱形の連結部２９ｂからなり、前記オス部本体２９ａの中央に連結部２９ｂが垂設されえいる。前記連結部２９ｂの先端部２９ｃは連結部２９ｂより径を大きくし、下端に向かうに従って径が小さくなっていく。また、連結部２９ｂには下端中央より孔２９ｄが穿設されている。
【００６３】
前記メス部３２は略円柱状のメス部本体３２ａと円形且つ平板状の鍔部３２ｂからなり、前記メス部本体３２ａは鍔部３２ｂの中央に垂設されている。メス部本体３２ａの上端の外周面には傾斜３２ｆが施されている。
【００６４】
前記メス部本体３２ａは内部が中空３２ｃであり、上端は上開口部３２ｂとなっている。前記メス部本体３２ａの内壁は上開口部３２ｂより徐々に径が小さくなるため傾斜３２ｅしており、メス部本体３２ａの高さ３分の１あたりで一気に径が広くなり径の大きさが安定する。但し、下開口部３２ｇで径が若干小さくなる。
【００６５】
前記鍔部３２ｂの下面にはドーナツ状に凹部３２ｉが設けられており、更に前記凹部３２ｉに収納部３２ｈが設けられている。前記凹部３２ｉ及び収納部３２ｈともドーナツ型をしており、凹部３２ｉの外周の径が最も大きく、凹部３２ｉの内周の径が最も小さい。即ち、収納部３２ｈの外周の径は凹部３２ｉの外周の径より小さく、収納部３２ｈの内周の径は凹部３２ｉの内周の径よりも大きい。
【００６６】
前記クサビ３３は略円柱状のクサビ本体３３ａからなり、外表面には上中下突部３３ｄ、３３ｅ、３３ｆが施されている。クサビ本体３３ａは上端から前記中突部３３ｅの位置に相当する当たりまでＶ字型溝３３ｃが施されており、前記Ｖ字型溝３３ｃの径は下方に向かうに従って小さくなっている。前記Ｖ字型溝３３ｃの下端中央からは中央突起３３ｂが伸びており、中央突起３３ｂの上端の一部はクサビ本体３３ａの上端より僅かに突出している。
【００６７】
前記ＩＣタグ３４は中央に孔３４ｂ穿設した略ドーナツ型のＩＣタグ本体３４ａからなり、ＩＣタグ本体３４ａにはＩＣチップ３４ｃが取り付けられている。このＩＣタグ３４は個体管理のためのものである。
【００６８】
前記タグ保護カバー３５は、メス部３２に設けられた収納部３２ｈに前記ＩＣタグ３４を収納した後に、メス部３２の凹部３２ｉに嵌め込んでＩＣタグ３４を保護するためのドーナツ型の保護カバー本体３５ａからなり、中央に孔が穿設されている。
【００６９】
前記ＤＮＡ採取プレート３１は、ＡＢＳプレート３１ａと前記ＡＢＳプレート３１ａの上面に重ねられた不織布３１ｂからなり、重ねた前記ＡＢＳプレート３１ａ及び不織布３１ｂには孔３１ｃが穿設され、前記孔３１ｃの最左端からＡＢＳプレート３１ａ及び不織布３１ｂの左辺中央に向かって隙間３１ｄが設けられている。
【００７０】
前記メス部３２の収納部３２ｈに前記ＩＣタグ３４を嵌入し、タグ保護カバー３５を凹部３２ｉに嵌め込み、ＩＣタグ３４を保護する。次にメス部３２の中空３２ｃに前記クサビ３３を中突部３３ｅが入るくらいまで挿入し耳標メス３０をセットする。
【００７１】
前記耳標メス３０を構成するメス部３２の土台本体３０ａ上端に前記ＤＮＡ採取プレート３１をセットする。このとき、ＤＮＡ採取プレート３１の孔３１ｃが前記土台本体３０ａの上端に位置するように合わせる。
【００７２】
前記耳標メス３０及びＤＮＡ採取プレート３１の上に耳２１を挟んで耳標オス２９をセットする。このとき、耳標オス２９の先端部２９ｃが耳標メス３２の上開口部３２ｄ上にくるようにセットする。
【００７３】
耳標オス２９と耳標メス３２を耳２１を貫通させて連結させた状態は、まず耳標メス３２のメス部本体３２ａの上部がＤＮＡ採取プレート３１の孔３１ｃを貫通して耳２１の内部へ浸入し、耳標オス２９の連結部２９ｂ及び先端部２９ｃが耳２１を貫通して前記耳標メス３２の上開口部３２ｄからメス部本体３２ａ内へ浸入する。
【００７４】
耳標オス２９の先端部２９ｃは耳標メス３２の中空３２ｃまで貫通し、先端部２９ｃに穿設された孔２９ｄにクサビ３３の中央突起３３ｂ上端が差し込まれ、耳標オス２９と耳標メス３２がしっかりと連結される。
【００７５】
不織布３１ｂには穴の開いた耳２１から血液等が流れて付着し、ＤＮＡの検査や個体管理に利用される。
【図面の簡単な説明】
【００７６】
【図１】本発明である外面突起なし新型耳標の第１実施例の断面図である。図Ａは第一部材、図Ｂ及び図Ｄは第二構成部材、図ＣはＲＦＩＤ、図Ｅは切削歯である細胞採取器具、図Ｆは第一部材、図Ｇは綜合組み立て例を示している。
【図２】本発明である外面突起なし新型耳標の第１実施例の断面図、正面図、背面図である。図Ｈは本発明耳標の装着状態の断面図、図Ｉは固定解除後の切削機能付細胞採取容器例、図Ｊは耳標の正面図、図Ｋは耳標の背面図を示している。
【図３】本発明である外面突起なし新型耳標の第２実施例の分解断面図である。
【図４】本発明である外面突起なし新型耳標の第２実施例の組立後の断面図である。
【図５】本発明である外面突起なし新型耳標の第２実施例を使用した状態を示した断面図である。
【図６】本発明である外面突起なし新型耳標の第２実施例を使用した状態を示した断面図である。
【図７】本発明である外面突起なし新型耳標の第２実施例の分解斜視図である。
【図８】本発明である外面突起なし新型耳標の第３実施例の分解断面図である。
【図９】本発明である外面突起なし新型耳標の第３実施例の組立後の断面図である。
【図１０】本発明である外面突起なし新型耳標の第３実施例を使用した状態を示した断面図である。
【図１１】本発明である外面突起なし新型耳標の第３実施例の分解斜視図である。
【図１２】本発明である外面突起なし新型耳標の第４実施例の分解断面図である。
【図１３】本発明である外面突起なし新型耳標の第４実施例の組立後の断面図である。
【図１４】本発明である外面突起なし新型耳標の第４実施例を使用した状態を示した断面図である。
【図１５】本発明である外面突起なし新型耳標の第４実施例の分解斜視図である。
【符号の説明】
【００７７】
１    第一部材オス
１ａ  鍔
１ｂ  凸状連結部
１ｃ  挿入孔
２    インサートピン
２ａ  上筒体部
２ｂ  突出部
２ｃ  下筒体部
２ｄ  挿入部
２ｅ  先端部
３    接合部（返し、スナップリング、接着剤等）
３ａ  傾斜部
３ｂ  開口部
３ｃ  折り返し
３ｄ  スリット
４    第二部材メス
４ａ  鍔
４ｂ  凸状メス部
４ｃ  中空
４ｄ  凹部
４ｅ  大径部
４ｆ  段差
５    ＲＦＩＤ（電子タグ・非接触ＩＣチップ）
５ａ  チップ
５ｂ  孔
６    第二部材メスカバー
６ａ  鍔
６ｂ  凸部
６ｃ  中空
６ｄ  凹部
６ｅ  開口部
７    切削機能付き細胞採取管
７ａ  中空
７ｂ  先端部
７ｃ  段差
８    分離調整用厚み部分
９    第二部材メス・組み立て完成品
１０    採取細胞
１１    外面突起なし新型耳標
１１ａ  外面突起なし新型耳標
１１ｂ  外面突起なし新型耳標
１２    耳標オス
１３    耳標メス
１４    耳標オス部
１４ａ  オス部本体
１４ｂ  連結突出部
１４ｃ  連結孔
１４ｄ  下条溝
１４ｅ  上条溝
１５    インサートピン
１５ａ  ピン本体
１５ｂ  押下突出部
１５ｃ  先端部
１５ｄ  段差
１５ｅ  受け突出部
１５ｆ  下突出部
１５ｇ  上突出部
１５ｈ  傾斜部
１５ｉ  傾斜部
１６    耳標メス部
１６ａ  メス部本体
１６ｂ  鍔部
１６ｃ  中空
１６ｄ  上開口部
１６ｅ  内凹部
１６ｆ  下開口部
１６ｇ  上傾斜部
１６ｈ  中傾斜部
１６ｉ  下傾斜部
１６ｊ  外凹部
１６ｋ  段差
１６ｌ  外突出部
１６ｍ  内突出部
１７    スナップリング
１７ａ  スナップリング本体
１７ｂ  孔
１８    ＩＣタグ
１８ａ  ＩＣタグ本体
１８ｂ  孔
１８ｃ  ＩＣチップ
１９    保護カバー
１９ａ  保護カバー本体
１９ｂ  鍔部
１９ｃ  中空
１９ｄ  凹部
１９ｅ  外周突部
１９ｆ  拡張部
１９ｇ  段差
１９ｈ  下端部
２０    ＤＮＡ採取用パイプ
２０ａ  パイプ本体
２０ｂ  パイプ下部
２０ｃ  先端部
２０ｄ  中空
２０ｅ  傾斜
２０ｆ  段差
２１    耳
２２    耳標オス
２２ａ  オス部本体
２２ｂ  連結突出部
２２ｃ  先端部
２２ｄ  孔
２２ｅ  開口部
２３    耳標メス
２４    耳標メス部
２４ａ  メス部本体
２４ｂ  鍔部
２４ｃ  中空
２４ｄ  開口部
２４ｅ  収納部
２４ｆ  凹部
２５    スナップリング
２５ａ  リング本体
２５ｂ  孔上部
２５ｃ  孔下部
２５ｄ  傾斜
２５ｅ  隙間
２６    ＩＣタグ
２６ａ  ＩＣタグ本体
２６ｂ  孔
２６ｃ  ＩＣチップ
２７    保護カバー
２７ａ  保護カバー本体
２７ｂ  鍔部
２７ｃ  中空
２７ｄ  開口部
２８    ＤＮＡ採取プレート
２９    耳標オス
２９ａ  オス部本体
２９ｂ  連結部
２９ｃ  先端部
２９ｄ  孔
３０    耳標メス
３１    ＤＮＡ採取プレート
３１ａ  ＡＢＳプレート
３１ｂ  不織布
３１ｃ  孔
３１ｄ  隙間
３２    メス部
３２ａ  メス部本体
３２ｂ  鍔部
３２ｃ  中空
３２ｄ  上開口部
３２ｅ  傾斜
３２ｆ  傾斜
３２ｇ  下開口部
３２ｈ  収納部
３２ｉ  凹部
３３    クサビ
３３ａ  クサビ本体
３３ｂ  中央突起
３３ｃ  Ｖ字型溝
３３ｄ  上突部
３３ｅ  中突部
３３ｆ  下突部
３４    ＩＣタグ
３４ａ  ＩＣタグ本体
３４ｂ  孔
３４ｃ  ＩＣチップ
３５    タグ保護カバー
３５ａ  保護カバー本体
３５ｂ  孔
【図１】
2006304768.tif 000003
【図２】
2006304768.tif 000004
【図３】
2006304768.tif 000005
【図４】
2006304768.tif 000006
【図５】
2006304768.tif 000007
【図６】
2006304768.tif 000008
【図７】
2006304768.tif 000009
【図８】
2006304768.tif 000010
【図９】
2006304768.tif 000011
【図１０】
2006304768.tif 000012
【図１１】
2006304768.tif 000013
【図１２】
2006304768.tif 000014
【図１３】
2006304768.tif 000015
【図１４】
2006304768.tif 000016
【図１５】
2006304768.tif 000017
【手続補正書】
【提出日】平成17年9月7日(2005.9.7)
【手続補正１】
【補正対象書類名】特許請求の範囲
【補正対象項目名】全文
【補正方法】変更
【補正の内容】
【特許請求の範囲】
【請求項１】
本発明である外面突起なし新型耳標は、鍔及び鍔の中央に垂設された凸状連結部からなる第一部材オス１と、突出部を介して連設した上下筒体部と前記下筒体部の下部に連設された先端部が尖った挿入部からなり第一部材オス１に取り付けられるインサートピン２と、下面に凹部を形成した鍔及び鍔の上面中央に垂設された中空かつ上部に接合部を形成した凸状メス部からなる第二部材メスと、中央に孔を穿設したチップからなり前記第二部材メスの凹部に嵌入されるＲＦＩＤと、上面に凹部を形成した鍔及び鍔の中央上面に垂設された内部が中空の凸部からなり前記第二部材メスの下面に取り付ける第二部材メスカバーと、内部が中空で上端の径が小さく下部に分離調整用厚み部分を形成した筒状体からなり前記第二部材メス及び第二部材メスカバーの中央を貫通して取付られる切削機能付き細胞採取管とからなることを特徴とする外面突起なし新型耳標。
【請求項２】
中央に連結突出部を垂設したオス部本体からなる耳標オス部と先端部に段差を設けた押下突出部を形成したピン本体からなるインサートピンとからなる耳標オスと、内部が中空となったメス部本体と前記メス部本体を中央に垂設し底面に内凹部及び外凹部を形成した鍔部からなる耳標メス部と、前記メス部本体の中空部分に収納されるスナップリングと前記鍔部の内凹部に嵌入されるＩＣタグと、前記耳標メス部の中空に嵌入する保護カバー本体と前記保護カバー本体を中央に垂設する鍔部からなる保護カバーと、前記保護カバー本体の中空部分に差し込むパイプ本体からなるＤＮＡ採取用パイプとからなる耳標メスとからなることを特徴とする外面突起なし新型耳標。
【請求項３】
開口部を設けた先端部を備えた連結突出部を中央に垂設したオス部本体からなる耳標オスと、内部が中空で上部に開口部を穿設したメス部本体と前記メス部本体を中央に垂設し底面に凹部及び収納部を設けた鍔部からなる耳標メス部と、前記耳標メス部の中空部分に収納されるスナップリングと、前記収納部に嵌入されるＩＣタグと、前記凹部に嵌め込まれる鍔部と前記鍔部の中央に垂設される内部が中空で上部に開口部を備えた保護カバー本体からなる保護カバーとからなる耳標メスと、ＤＮＡ採取プレートとからなることを特徴とする請求項７に記載の外面突起なし新型耳標。
【請求項４】
孔を穿設した先端部を備えた連結部と前記連結部を中央に垂設したオス部本体からなる耳標オスと、内部が中空で上部に上開口部を備えたメス部本体と前記メス部本体を中央に垂設し底面に凹部及び収納部を設けた鍔部からなるメス部と、外周面に上中下突部を設け中央突起を備えたＶ字型溝を上面に備えたクサビ本体からなるクサビと、前記メス部の収納部に嵌入されるＩＣタグと、前記メス部の凹部に嵌入されるタグ保護カバーとからなる耳標メスと、ＡＢＳプレートと前記ＡＢＳプレート上面に重ね合わされる不織布からなるＤＮＡ採取プレートとからなることを特徴とする請求項７及び請求項８に記載の外面突起なし新型耳標。